(57)【要約】【課題】自宅以外の場所で気軽にオンライン決済を利用可能なオンライン決済方法およびシステムを提供する。【解決手段】通信端末１０から、注文情報をインターネット２を介してコンビニ決済サービスシステム３２に送信するステップと、注文者の通信端末１０から、コンビニＣをファックスデータ受取拠点として指定する拠点指定情報をインターネット２を介してコンビニ決済サービスシステム３２に送信するステップと、このシステム３２では、送信されてきた決済用情報および拠点指定情報から、各ファックス端末３１による出力時に少なくとも注文料金がＰＯＳ端末３０で読取り可能なバーコードＢとして印刷されるオンライン決済用ＦＡＸデータを、指定されたコンビニＣに設置されたＦＡＸ端末３１を宛先として公衆網２を介して送信するステップと、を備えている。【選択図】      図１
2004334586.tif 000002
【特許請求の範囲】
【請求項１】
注文者により注文された商品または役務の料金を、オンライン決済用データ読取装置を備えた拠点に設置され且つ通信ネットワークに接続されたファックス装置と当該ファックス装置に対して前記通信ネットワークを介してファックス通信可能なオンライン決済用コンピュータシステムとを利用してオンライン決済する方法であって、
前記商品または役務の提供元の通信端末から、前記注文者の識別情報、前記商品または役務の識別情報および注文料金を含む注文情報を前記通信ネットワークを介して前記オンライン決済用コンピュータシステムに送信するステップと、
前記注文者の通信端末から、前記拠点をファックスデータ受取拠点として指定する拠点指定情報を前記通信ネットワークを介して前記オンライン決済用コンピュータシステムに送信するステップと、
前記オンライン決済用コンピュータシステムにおいては、前記送信されてきた決済用情報および拠点指定情報に基づいて、前記ファックス装置による出力時に少なくとも前記注文料金が前記オンラインデータ読取装置で読取り可能な決済用データとして印刷されるオンライン決済用ファックスデータを、当該拠点指定情報により指定されたファックスデータ受取拠点に設置されたファックス装置を宛先として前記通信ネットワークを介して送信するステップと、
を備えたことを特徴とするファックス装置を利用したオンライン決済方法。
【請求項２】
前記注文者の通信端末は可搬型の移動端末であり、前記通信ネットワークは、前記移動端末用の移動通信網を含んでおり、この移動通信網には、前記移動端末に対する情報コンテンツ提供用のコンテンツサーバが含まれており、前記注文者の通信端末の現在位置に対応する現在エリアには、前記拠点が複数存在しており、
前記拠点指定情報送信ステップは、前記注文者の通信端末の現在エリアに応じて当該注文者の通信端末に対して前記コンテンツサーバから提供された当該現在エリアに含まれる前記複数の拠点それぞれの識別情報の中から、何れか１つの拠点の識別情報を選択し、その選択した拠点の識別情報を送信するステップであることを特徴とする請求項１記載のファックス装置を利用したオンライン決済方法。
【請求項３】
前記拠点指定情報送信ステップは、過去に少なくとも一度ファックスデータ受取拠点として指定した少なくとも１つの前記拠点の識別情報を拠点履歴情報として当該通信端末のメモリに記憶するステップと、
前記ファックスデータ受取拠点を指定する際に、前記メモリに記憶された拠点履歴情報を当該通信端末のディスプレイに表示するステップと、
前記通信端末のディスプレイに表示された拠点履歴情報としての少なくとも１つの前記拠点の識別情報に基づいて前記ファックスデータ受取拠点を決定し、決定したファックスデータ受取拠点の識別情報を前記通信ネットワークを介して前記オンライン決済用コンピュータシステムに送信するステップと、
を備えたことを特徴とする請求項１記載のファックス装置を利用したオンライン決済方法。
【請求項４】
前記拠点は複数であり、当該複数の拠点それぞれに前記ファックス装置がそれぞれ設置されており、
前記オンライン決済用コンピュータシステムは、前記複数のファックス装置それぞれの前記通信ネットワークを介した宛先を表す複数のファックス番号と当該複数のファックス番号それぞれに対応するユニークなシリアル番号とが互いに対応付けられた変換情報を記憶しており、
前記拠点指定情報送信ステップは、前記複数の拠点の内の何れか１つの拠点をファックスデータ受取拠点として指定し、指定したファックスデータ受取拠点のシリアル番号を前記拠点指定情報として前記通信ネットワークを介して送信するステップであり、
前記オンライン決済用ファックスデータ送信ステップは、前記送信されてきたシリアル番号に基づいて、当該シリアル番号に対応するファックス番号を前記変換情報の中から抽出し、抽出したファックス番号を宛先としてオンライン決済用ファックスデータを送信するステップを含むことを特徴とする請求項１記載のファックス装置を利用したオンライン決済方法。
【請求項５】
前記各ファックス装置は、情報蓄積用のバッファと、情報入力用の入力部と、前記オンライン決済用ファックスデータをファックス文書として印刷出力する出力部とを有しており、
前記オンライン決済用ファックスデータ送信ステップは、前記オンライン決済用ファックスデータに、前記注文情報に対応する注文者の認証用情報を付加し、この付加した認証情報を、当該注文者の通信端末に対して前記通信ネットワークを介して送信し、前記認証情報が付加された前記オンライン決済用ファックスデータを、前記ファックスデータ受取拠点に設置されたファックス装置を宛先として送信するステップであり、
前記ファックスデータ受取拠点に設置されたファックス装置においては、前記送信されてきたオンライン決済用ファックスデータを前記バッファに蓄積し、前記情報入力部を介して認証情報が入力された際に、この入力された認証情報を前記オンライン決済用ファックスデータに付加された認証情報とを照合し、その照合の結果、入力認証情報が前記オンライン決済用ファックスデータに付加された認証情報と一致した場合にのみ前記バッファに蓄積されたオンライン決済用ファックスデータを読み出し、読み出したオンライン決済用ファックスデータを、少なくとも前記決済用データが記載された払込票として前記出力部を介して印刷出力するステップを備えたことを特徴とする請求項１記載のファックス装置を利用したオンライン決済方法。
【請求項６】
注文者により注文された商品または役務の料金を、オンライン決済用データ読取装置を備えた拠点に設置され且つ通信ネットワークに接続された複数のファックス装置を利用してオンライン決済するシステムであって、
前記商品または役務の提供元の通信端末から前記通信ネットワークを介して送信されてきた、前記注文者の識別情報、前記商品または役務の識別情報および注文領域を含む注文情報を受信する注文情報受信手段と、
前記注文者の通信端末から前記通信ネットワークを介して送信されてきた、前記拠点をファックスデータ受取拠点として指定する拠点指定情報を受信する拠点指定情報受信手段と、
前記受信された決済用情報および拠点指定情報に基づいて、前記ファックス装置による出力時に少なくとも前記注文料金が前記オンラインデータ読取装置で読取り可能な決済用データとして印刷されるオンライン決済用ファックスデータを、当該拠点指定情報により指定されたファックスデータ受取拠点に設置されたファックス装置を宛先として前記通信ネットワークを介して送信するオンライン決済用ファックスデータ送信手段と、
を備えたことを特徴とするファックス装置を利用したオンライン決済システム。
【請求項７】
前記注文者の通信端末は可搬型の移動端末であり、前記通信ネットワークは、前記移動端末用の移動通信網を含んでおり、この移動通信網には、前記移動端末に対する情報コンテンツ提供用のコンテンツサーバが含まれており、前記注文者の通信端末の現在位置に対応する現在エリアには、前記拠点が複数存在しており、
前記拠点指定情報は、前記注文者の通信端末の現在エリアに応じて当該注文者の通信端末に対して前記コンテンツサーバから提供された当該現在エリアに含まれる前記複数の拠点それぞれの識別情報の中から選択された拠点の識別情報であることを特徴とする請求項６記載のファックス装置を利用したオンライン決済システム。
【請求項８】
前記通信端末は、過去に少なくとも一度ファックスデータ受取拠点として指定した少なくとも１つの前記拠点の識別情報を拠点履歴情報として記憶する拠点履歴情報記憶手段と、
前記ファックスデータ受取拠点指定時において、前記拠点履歴情報記憶手段により記憶された拠点履歴情報を表示する表示手段と、
表示された拠点履歴情報としての少なくとも１つの前記拠点の識別情報に基づいて決定された前記ファックスデータ受取拠点の識別情報を前記通信ネットワークを介して送信する送信手段と、
を備えたことを特徴とする請求項６記載のファックス装置を利用したオンライン決済システム。
【請求項９】
前記拠点は複数であり、当該複数の拠点それぞれに前記ファックス装置がそれぞれ設置されており、
前記複数のファックス装置それぞれの前記通信ネットワークを介した宛先を表す複数のファックス番号と当該複数のファックス番号それぞれに対応するユニークなシリアル番号とが互いに対応付けられた変換情報を記憶する変換情報記憶手段を備え、
前記拠点指定情報は、前記指定されたファックスデータ受取拠点のシリアル番号であり、
前記オンライン決済用ファックスデータ送信手段は、前記拠点指定情報として前記シリアル番号が送信されてきた際に、その送信されてきたシリアル番号に基づいて、当該シリアル番号に対応するファックス番号を前記変換情報の中から抽出し、抽出したファックス番号を宛先として前記オンライン決済用ファックスデータを送信する手段であることを特徴とする請求項６記載のファックス装置を利用したオンライン決済システム。
【請求項１０】
前記各ファックス装置は、情報蓄積用のバッファと、情報入力用の入力部と、前記オンライン決済用ファックスデータをファックス文書として印刷出力する出力部とを有しており、
前記オンライン決済用ファックスデータ送信手段は、前記オンライン決済用ファックスデータに、前記注文情報に対応する注文者の認証用情報を付加し、この付加した認証情報を、当該注文者の通信端末に対して前記通信ネットワークを介して送信し、前記認証情報が付加された前記オンライン決済用ファックスデータを、前記ファックスデータ受取拠点に設置されたファックス装置を宛先として送信する手段であり、
前記ファックスデータ受取拠点に設置されたファックス装置は、前記送信されてきたオンライン決済用ファックスデータを前記バッファに蓄積し、前記情報入力部を介して認証情報が入力された際に、この入力された認証情報を前記オンライン決済用ファックスデータに付加された認証情報とを照合し、その照合の結果、入力認証情報が前記オンライン決済用ファックスデータに付加された認証情報と一致した場合にのみ前記バッファに蓄積されたオンライン決済用ファックスデータを読み出し、読み出したオンライン決済用ファックスデータを、少なくとも前記決済用データが記載されたファックス文書として前記出力部を介して印刷出力する手段を備えたことを特徴とする請求項６記載のファックス装置を利用したオンライン決済システム。
【発明の詳細な説明】
【０００１】
【発明の属する技術分野】
本発明は、ユーザが例えばＥＣ（Ｅｌｅｃｔｒｉｃ  Ｃｏｍｍｅｒｃｅ）サイト対してオンライン注文した商品または役務の料金を、複数のオンライン決済用データ読取装置をそれぞれ備えた複数の拠点である例えばコンビニエンスストアにそれぞれ設置され且つ通信ネットワークに接続された複数のファックス装置を利用してオンライン決済する方法およびシステムに関する。
【０００２】
【従来の技術】
ＩＴの進展により出現したＥＣサイト、例えばインターネットを介してオンラインで商品や役務を注文できるＷＷＷ（Ｗｏｒｌｄ  Ｗｉｄｅ  Ｗｅｂ）サイトは、今や通常の対面型店舗と肩を並べる勢いで普及している。
【０００３】
このＥＣサイトにおいて、注文した商品または役務に対する料金の支払いには、いわゆる代引き（商品の場合、その商品と引き換えに料金を支払う方式）やクレジットカード支払い（クレジットカードの番号等のデータをオンラインでＥＣサイト側に送信し、ＥＣサイト側においてそのデータに基づいて料金の引き落とし処理を行う方式）等が従前から用いられていた。
【０００４】
さらに、近年、例えば２４時間営業しているコンビニエンスストア等の不特定者が利用できる店舗において、オンライン決済できるサービスも提供されている。
【０００５】
この店舗を利用したオンライン決済サービスでは、その店舗に予め設けられた所定のフォーマットのデータ（例えばバーコードとする）を読み取ることができるＰＯＳ端末を利用している。
【０００６】
すなわち、ＥＣサイトは、ユーザが注文した商品または役務の識別情報、注文数量およびその注文料金等を上記バーコードとしてデータ化し、このバーコードデータが記載された払込票（伝票）を表す伝票データ（オンライン払込票、オンライン伝票）を作成し、作成した伝票データをオンラインでユーザの通信端末に送信する。
【０００７】
このとき、ユーザの通信端末は、送信されてきたオンライン伝票を受信し、その通信端末に接続されたプリンタを介して、オンライン伝票に対応するバーコードが印刷された払込票を印刷出力する。
【０００８】
そして、ユーザは、印刷出力された払込票を上記ＰＯＳ端末が設置された店舗に持参し、店舗側においては、持参された払込票のバーコードをＰＯＳ端末で読取り、読み取った内容（注文商品または役務の料金）に基づいて決済を行っている（例えば、特許文献１参照）。
【０００９】
【特許文献１】
特許第３３２２６７３号公報
【００１０】
【発明が解決しようとする課題】
上述したオンライン決済においては、ユーザは、自宅の通信端末である例えばパーソナルコンピュータを介してオンライン伝票を受信し、自宅のプリンタを介して受信したオンライン伝票を印刷出力することにより実際の払込票を得ている。
【００１１】
したがって、オンライン伝票を利用できるユーザがプリンタの所有者に限定されることになり、オンライン伝票によるオンライン決済方法のユーザが制限されるという課題が生じていた。
【００１２】
特に、近年では、携帯電話等のインターネットに接続できる携帯端末が広範に普及しており、自宅にパーソナルコンピュータ等の設置型通信端末やプリンタを所有しない者も増えており、上述した携帯端末所有者に対しても、オンライン決済を提供したいという要望が強かった。
【００１３】
さらに、払込票を印刷出力する場所がユーザの自宅であり、実際に料金を支払う場所ではないため、一度印刷出力した払込票を紛失してしまう恐れもあり、オンライン決済の普及を阻害する要因となっていた。
【００１４】
本発明は、上述した事情に鑑みてなされたものであり、プリンタ未所有者および携帯端末利用者等でも、自宅以外の場所で気軽にオンライン決済を利用することができるオンライン決済方法およびシステムを提供することをその目的とする。
【００１５】
また、本発明は、上述した事情に鑑みてなされたものであり、実際に料金を支払う場所において払込票を取得することができるオンライン決済方法およびシステムを提供することを他の目的とする。
【００１６】
【課題を解決するための手段】
上述した目的を達成するため、請求項１に記載された本発明は、注文者により注文された商品または役務の料金を、オンライン決済用データ読取装置を備えた拠点に設置され且つ通信ネットワークに接続されたファックス装置と当該ファックス装置に対して前記通信ネットワークを介してファックス通信可能なオンライン決済用コンピュータシステムとを利用してオンライン決済する方法であって、前記商品または役務の提供元の通信端末から、前記注文者の識別情報、前記商品または役務の識別情報および注文料金を含む注文情報を前記通信ネットワークを介して前記オンライン決済用コンピュータシステムに送信するステップと、前記注文者の通信端末から、前記拠点をファックスデータ受取拠点として指定する拠点指定情報を前記通信ネットワークを介して前記オンライン決済用コンピュータシステムに送信するステップと、前記オンライン決済用コンピュータシステムにおいては、前記送信されてきた決済用情報および拠点指定情報に基づいて、前記ファックス装置による出力時に少なくとも前記注文料金が前記オンラインデータ読取装置で読取り可能な決済用データとして印刷されるオンライン決済用ファックスデータを、当該拠点指定情報により指定されたファックスデータ受取拠点に設置されたファックス装置を宛先として前記通信ネットワークを介して送信するステップと、を備えたファックス装置を利用したオンライン決済方法を提供することにある。
【００１７】
また、請求項２に記載された本発明において、前記注文者の通信端末は可搬型の移動端末であり、前記通信ネットワークは、前記移動端末用の移動通信網を含んでおり、この移動通信網には、前記移動端末に対する情報コンテンツ提供用のコンテンツサーバが含まれており、前記注文者の通信端末の現在位置に対応する現在エリアには、前記拠点が複数存在しており、前記拠点指定情報送信ステップは、前記注文者の通信端末の現在エリアに応じて当該注文者の通信端末に対して前記コンテンツサーバから提供された当該現在エリアに含まれる前記複数の拠点それぞれの識別情報の中から、何れか１つの拠点の識別情報を選択し、その選択した拠点の識別情報を送信するステップである。
【００１８】
さらに、請求項３に記載された本発明において、前記拠点指定情報送信ステップは、過去に少なくとも一度ファックスデータ受取拠点として指定した少なくとも１つの前記拠点の識別情報を拠点履歴情報として当該通信端末のメモリに記憶するステップと、前記ファックスデータ受取拠点を指定する際に、前記メモリに記憶された拠点履歴情報を当該通信端末のディスプレイに表示するステップと、前記通信端末のディスプレイに表示された拠点履歴情報としての少なくとも１つの前記拠点の識別情報に基づいて前記ファックスデータ受取拠点を決定し、決定したファックスデータ受取拠点の識別情報を前記通信ネットワークを介して前記オンライン決済用コンピュータシステムに送信するステップと、を備えている。
【００１９】
特に、請求項４に記載された本発明においては、前記拠点は複数であり、当該複数の拠点それぞれに前記ファックス装置がそれぞれ設置されており、前記オンライン決済用コンピュータシステムは、前記複数のファックス装置それぞれの前記通信ネットワークを介した宛先を表す複数のファックス番号と当該複数のファックス番号それぞれに対応するユニークなシリアル番号とが互いに対応付けられた変換情報を記憶しており、前記拠点指定情報送信ステップは、前記複数の拠点の内の何れか１つの拠点をファックスデータ受取拠点として指定し、指定したファックスデータ受取拠点のシリアル番号を前記拠点指定情報として前記通信ネットワークを介して送信するステップであり、前記オンライン決済用ファックスデータ送信ステップは、前記送信されてきたシリアル番号に基づいて、当該シリアル番号に対応するファックス番号を前記変換情報の中から抽出し、抽出したファックス番号を宛先としてオンライン決済用ファックスデータを送信するステップを含む。
【００２０】
そして、請求項５に記載された本発明においては、前記各ファックス装置は、情報蓄積用のバッファと、情報入力用の入力部と、前記オンライン決済用ファックスデータをファックス文書として印刷出力する出力部とを有しており、前記オンライン決済用ファックスデータ送信ステップは、前記オンライン決済用ファックスデータに、前記注文情報に対応する注文者の認証用情報を付加し、この付加した認証情報を、当該注文者の通信端末に対して前記通信ネットワークを介して送信し、前記認証情報が付加された前記オンライン決済用ファックスデータを、前記ファックスデータ受取拠点に設置されたファックス装置を宛先として送信するステップであり、前記ファックスデータ受取拠点に設置されたファックス装置においては、前記送信されてきたオンライン決済用ファックスデータを前記バッファに蓄積し、前記情報入力部を介して認証情報が入力された際に、この入力された認証情報を前記オンライン決済用ファックスデータに付加された認証情報とを照合し、その照合の結果、入力認証情報が前記オンライン決済用ファックスデータに付加された認証情報と一致した場合にのみ前記バッファに蓄積されたオンライン決済用ファックスデータを読み出し、読み出したオンライン決済用ファックスデータを、少なくとも前記決済用データが記載された払込票として前記出力部を介して印刷出力するステップを備えている。
【００２１】
さらに、上述した目的を達成するため、請求項６に記載された本発明は、注文者により注文された商品または役務の料金を、オンライン決済用データ読取装置を備えた拠点に設置され且つ通信ネットワークに接続された複数のファックス装置を利用してオンライン決済するシステムであって、前記商品または役務の提供元の通信端末から前記通信ネットワークを介して送信されてきた、前記注文者の識別情報、前記商品または役務の識別情報および注文領域を含む注文情報を受信する注文情報受信手段と、前記注文者の通信端末から前記通信ネットワークを介して送信されてきた、前記拠点をファックスデータ受取拠点として指定する拠点指定情報を受信する拠点指定情報受信手段と、前記受信された決済用情報および拠点指定情報に基づいて、前記ファックス装置による出力時に少なくとも前記注文料金が前記オンラインデータ読取装置で読取り可能な決済用データとして印刷されるオンライン決済用ファックスデータを、当該拠点指定情報により指定されたファックスデータ受取拠点に設置されたファックス装置を宛先として前記通信ネットワークを介して送信するオンライン決済用ファックスデータ送信手段と、を備えたファックス装置を利用したオンライン決済システムを提供することにある。
【００２２】
請求項７に記載された本発明においては、前記注文者の通信端末は可搬型の移動端末であり、前記通信ネットワークは、前記移動端末用の移動通信網を含んでおり、この移動通信網には、前記移動端末に対する情報コンテンツ提供用のコンテンツサーバが含まれており、前記注文者の通信端末の現在位置に対応する現在エリアには、前記拠点が複数存在しており、前記拠点指定情報は、前記注文者の通信端末の現在エリアに応じて当該注文者の通信端末に対して前記コンテンツサーバから提供された当該現在エリアに含まれる前記複数の拠点それぞれの識別情報の中から選択された拠点の識別情報である。
【００２３】
また、請求項８に記載された本発明においては、前記通信端末は、過去に少なくとも一度ファックスデータ受取拠点として指定した少なくとも１つの前記拠点の識別情報を拠点履歴情報として記憶する拠点履歴情報記憶手段と、前記ファックスデータ受取拠点指定時において、前記拠点履歴情報記憶手段により記憶された拠点履歴情報を表示する表示手段と、表示された拠点履歴情報としての少なくとも１つの前記拠点の識別情報に基づいて決定された前記ファックスデータ受取拠点の識別情報を前記通信ネットワークを介して送信する送信手段と、を備えている。
【００２４】
さらに、請求項９に記載された本発明においては、前記拠点は複数であり、当該複数の拠点それぞれに前記ファックス装置がそれぞれ設置されており、前記複数のファックス装置それぞれの前記通信ネットワークを介した宛先を表す複数のファックス番号と当該複数のファックス番号それぞれに対応するユニークなシリアル番号とが互いに対応付けられた変換情報を記憶する変換情報記憶手段を備え、前記拠点指定情報は、前記指定されたファックスデータ受取拠点のシリアル番号であり、前記オンライン決済用ファックスデータ送信手段は、前記拠点指定情報として前記シリアル番号が送信されてきた際に、その送信されてきたシリアル番号に基づいて、当該シリアル番号に対応するファックス番号を前記変換情報の中から抽出し、抽出したファックス番号を宛先として前記オンライン決済用ファックスデータを送信する手段である。
【００２５】
そして、請求項１０に記載された本発明においては、前記各ファックス装置は、情報蓄積用のバッファと、情報入力用の入力部と、前記オンライン決済用ファックスデータをファックス文書として印刷出力する出力部とを有しており、前記オンライン決済用ファックスデータ送信手段は、前記オンライン決済用ファックスデータに、前記注文情報に対応する注文者の認証用情報を付加し、この付加した認証情報を、当該注文者の通信端末に対して前記通信ネットワークを介して送信し、前記認証情報が付加された前記オンライン決済用ファックスデータを、前記ファックスデータ受取拠点に設置されたファックス装置を宛先として送信する手段であり、前記ファックスデータ受取拠点に設置されたファックス装置は、前記送信されてきたオンライン決済用ファックスデータを前記バッファに蓄積し、前記情報入力部を介して認証情報が入力された際に、この入力された認証情報を前記オンライン決済用ファックスデータに付加された認証情報とを照合し、その照合の結果、入力認証情報が前記オンライン決済用ファックスデータに付加された認証情報と一致した場合にのみ前記バッファに蓄積されたオンライン決済用ファックスデータを読み出し、読み出したオンライン決済用ファックスデータを、少なくとも前記決済用データが記載されたファックス文書として前記出力部を介して印刷出力する手段を備えている。
【００２６】
【発明の実施の形態】
図１は、本発明の実施の形態に係わるファックス装置を利用したオン来決済方法およびシステムについて添付図面を参照して説明する。
【００２７】
図１は、ファックス装置（以下、ファックスをＦＡＸとも記載し、ファックス装置をＦＡＸ端末とも記載する）を利用したオンライン決済システムを含むオンライン注文決済システム１の概略構成を示すブロック図である。
【００２８】
図１に示すように、オンライン注文決済システム１は、ＴＣＰ（Ｔｒａｎｓｍｉｓｓｉｏｎ  Ｃｏｎｔｒｏｌ  Ｐｒｏｔｏｃｏｌ；パケット配信管理用プロトコル）／ＩＰ（Ｉｎｔｅｒｎｅｔ  Ｐｒｏｔｏｃｏｌ；ＩＰパケット作成用プロトコル）等の通信プロトコルに対応するフォーマットのマルチメディアデータ｛例えばＷＷＷコンテンツ等｝を中継可能な通信ネットワークの一部としてのインターネット２を備えている。
【００２９】
また、オンライン注文決済システム１は、インターネット２に通信可能に接続され、このインターネット２を介して複数のオンライン店舗を構築する複数のＷＷＷサーバを有するＥＣサイト３を備えている。
【００３０】
さらに、オンライン注文決済システム１は、インターネット２に対して通信可能であり、ユーザが利用可能なユーザ利用端末１０、１１、１２を備えている。
【００３１】
このユーザ利用端末１０、１１、１２は、インターネット２を介して中継できるＷＷＷコンテンツ等を閲覧かつ動的処理を要求できるソフトウェア（ＷＷＷブラウザ等）を搭載しており、インターネット２と通信状態が確立した状態で、複数のＷＷＷサーバにアップロードされた商品および役務の内の少なくとも一方（以下、記載を容易にするため、商品とする）の紹介・注文用ＷＷＷコンテンツを閲覧し、必要に応じてその商品の識別情報（商品コード番号、商品名称等）、注文数量等を指定し、指定した商品の注文をオンラインでＥＣサイト３に対して送信できるようになっている。
【００３２】
例えば、本実施形態におけるユーザ利用端末１０は、ユーザの自宅に設置されたパーソナルコンピュータ（ＣＰＵ、メモリ、ディスプレイ、入力部、通信インタフェース（Ｉ／Ｆ）等から構成された個人ユースのコンピュータ；以下、パソコンと略記する）であり、ユーザ利用端末１１は、携帯電話等の携帯端末（ＣＰＵ、メモリ、ディスプレイ、入力部、通信Ｉ／Ｆ、音声通話部、アンテナ等から構成された端末）である。
【００３３】
また、ユーザ利用端末１２は、ユーザ宅におけるインターネット接続機能を有するＦＡＸ｛ＣＰＵ、メモリ、ディスプレイ、入力部、通信Ｉ／Ｆ、音声通話部、情報読み取り部（スキャナ）等から構成された通信端末；以下、固定電話インターネット対応ＦＡＸと記載する｝である。
【００３４】
携帯端末１１は、移動通信網１５上の最寄の基地局１６を介してインターネット２に対するゲートウェイ機能を含むコンテンツサーバ１７に接続可能であり、このコンテンツサーバ１７を介して、上記ＥＣサイト３上のＷＷＷコンテンツを含むインターネット２上の様々なＷＷＷコンテンツ、あるいはコンテンツサーバ１７にアップロードされた複数のコンテンツに対してアクセスできるようになっている。
【００３５】
なお、符号１８は、ユーザ利用端末１０に通信可能に接続されたプリンタである。
【００３６】
固定電話インターネット対応ＦＡＸ１２は、最寄のアクセスポイントを含む通信ネットワークの一部としての公衆網（一般電話網）２０、ゲートウェイ（ＧＷ）２１、通信ネットワークの一部としての固定電話インターネット用通信網２２およびゲートウェイ（ＧＷ）２３を介してインターネット２に接続されており、上記ＥＣサイト３のＷＷＷコンテンツを含むインターネット２上の様々なＷＷＷコンテンツ、あるいはコンテンツサーバ１７にアップロードされた複数のコンテンツに対してアクセスできるようになっている。
【００３７】
ＥＣサイト３には、インターネット２を経由してユーザ利用端末１０、１１、１２から送信されてきた商品のオンライン注文を受け付けるための注文受付サーバ（コンピュータ）２５と、後述するコンビニ決済システムを介して、受付た注文に対応する注文料金の収納を表す収納情報、および上記注文により発生する売掛債権の消込を表す消込情報をそれぞれ照会するための照会サーバ２６とがそれぞれ搭載されている。
【００３８】
一方、本実施の形態におけるオンライン注文決済システム１は、注文受付サーバ２５により受け付けられた注文を、不特定多数者が利用でき、かつオンライン決済用データである例えばバーコードデータを読み取ることができる端末が設置されている拠点であるコンビニエンスストア（コンビニと略記する）Ｃにおいてオンライン決済するシステムとして構築されている。
【００３９】
そして、この複数のコンビニエンスストアＣそれぞれには、上記バーコードデータ読み取り機能を有するＰＯＳ端末３０と、公衆網２０を介してＦＡＸデータを送受信できるコンビニ設置ＦＡＸ端末３１とがそれぞれ設置されている。
【００４０】
そして、オンライン決済システム１は、ＰＯＳ端末３０に対して専用線を介して接続されたコンビニ決済サービスシステム３２を備えている。
【００４１】
このコンビニ決済サービスシステム３２には、インターネット２に対して通信可能であり、注文受付サーバ２５により受け付けられた注文に対応するオンライン伝票をインターネット２を介してユーザ利用端末１０に送信する機能、および上記注文に対応するオンライン決済用ＦＡＸデータを生成する機能をそれぞれ有するコンビニ決済サーバ（コンピュータ）４０が導入されている。
【００４２】
また、コンビニ決済サービスシステム３２には、ＰＯＳ端末３０を介してバーコードデータが読み取られた際に、その読み取られたバーコードデータに対応する注文料金の支払いが収納されたことを速報するための速報情報を受信し、受信した速報情報をコンビニ決済サーバ４０に対して送信する機能を有するコンビニＶＡＮ（Ｖａｌｕｅ  Ａｄｄｅｄ  Ｎｅｔｗｏｒｋ）システム４１とがそれぞれ導入されている。
【００４３】
さらに、コンビニ決済サービスシステム３２には、コンビニ決済サーバ４０に対して通信可能であり、公衆網２０を介してＦＡＸデータを送受信可能なＦＡＸサーバ４２が導入されている。
【００４４】
このＦＡＸサーバ４２には、複数のコンビニＣを含む多数の店舗の識別情報（名称、住所、電話番号等）と対応する店舗それぞれのＦＡＸ番号とが互いに関連付けられ、ＦＡＸ番号データベースＤＢとして記憶されている。
【００４５】
なお、コンビニＣのＰＯＳ端末３０を介して収納された注文料金がコンビニＣから実際にファイナンス会社Ｆに振り込まれた場合、ファイナンス会社Ｆの図示しない通信端末から注文料金の回収結果を表す確報情報がコンビニ決済サーバ４０に対して送信され、コンビニ決済サーバ４０を介して管理されるようになっている。
【００４６】
一方、図２は、図１に示すコンビニＣに設置されたコンビニ設置ＦＡＸ端末３１の概略構成を示すブロック図である。
【００４７】
図２に示すように、コンビニ設置ＦＡＸ端末３１は、コントローラ５０と、図示しない媒体載置部に載置された媒体の文字や画像情報を読み取ってデジタルデータに変換する情報読み取り部５１と、公衆網２０に対する通信インタフェース機能を有する通信Ｉ／Ｆ５２と、この通信Ｉ／Ｆ５２を介して送信されてきたＦＡＸデータを一時的に蓄積するためのバッファ５３と、ユーザがコントローラ５０に対して情報を入力するための情報入力部５４と、情報を印刷出力するための情報出力部５５と、情報表示用のディスプレイ５６とを備えており、コントローラ５０は、情報読み取り部５１、通信Ｉ／Ｆ５２、バッファ５３、情報入力部５４、情報出力部５５およびディスプレイ５６を統括して制御可能になっている。
【００４８】
次に、本実施の形態の全体処理について説明する。
【００４９】
今、ユーザ利用端末１０、１１、１２の内、例えばユーザ利用端末１１（携帯端末１１）には、ＥＣサイト３における紹介・注文用ＷＷＷコンテンツがダウンロードされており、そのユーザ利用端末１１のソフトウェア（ＷＷＷブラウザ）に基づく閲覧表示機能により、商品の紹介・注文用ＷＷＷコンテンツが端末１１のディスプレイを介して表示されている。
【００５０】
このとき、ユーザ利用端末１１のユーザは、入力部を介して所望の商品を指定してその数量を含む注文要求を入力する（本明細書では、注文を行ったユーザを注文者とも記載する）。このとき、ユーザ利用端末１１は、入力された注文情報を、最寄の基地局１６を含む移動通信網１５等を介して対応するＥＣサイト３の注文受付サーバ２５に送信する（図３；ステップＳ１）。
【００５１】
注文受付サーバ２５は、送信されてきた注文要求を受け付け（ステップＳ２）、受け付けた注文要求に対応する商品の識別情報、数量、注文者の識別情報および注文料金を含む注文情報を、インターネット２等を介してコンビニ決済サービスシステム３２のコンビニ決済サーバ４０に送信する（ステップＳ３）。
【００５２】
一方、商品の注文を行ったユーザ利用端末１１の注文者（ユーザ）は、注文した商品の料金の払込票を所望のコンビニで受け取りたいと欲した場合、その所望のコンビニＣのＦＡＸ番号を含む当該コンビニをＦＡＸ受取拠点とする受取先指定情報を、インターネット２等を介してコンビニ決済サービスシステム３２のコンビニ決済サーバ４０に送信する（ステップＳ４）。
【００５３】
このとき、コンビニ決済サーバ４０は、送信されてきた注文情報および受取先指定情報を受信し（ステップＳ５）、注文情報および受取先指定情報から、その注文情報における商品識別情報、注文数量および注文料金をバーコードデータとしてコード化する（ステップＳ６）。
【００５４】
次いで、コンビニ決済サーバ４０は、ランダムに受取パスワードを設定し、設定した受取パスワード、生成したバーコードデータおよび注文者の識別情報（名称等）に基づいて、そのバーコードデータおよび注文者の識別情報がＦＡＸ端末での印刷出力時に印刷されるように構成された注文者へのＦＡＸデータを生成する（ステップＳ７）。
【００５５】
そして、コンビニ決済サーバ４０は、設定した受取パスワードを上記注文情報に対応付けて注文元のユーザ利用端末１１に対してインターネット２および公衆網２０等を介して送信する（ステップＳ８）。
【００５６】
このとき、ユーザ利用端末１１は、送信されてきた受取パスワードを受信してディスプレイに表示する（ステップＳ９）。この結果、注文者は、自らの注文に対してランダムに設定された受取パスワードを認識することができる。
【００５７】
一方、コンビニ決済サーバ４０は、ステップＳ８の処理において生成したＦＡＸデータおよび受取先指定情報をＦＡＸサーバ４２に送信する（ステップＳ１０）。
【００５８】
ＦＡＸサーバ４２は、送信されてきたＦＡＸデータおよび受取先指定情報を受信し、その受取先指定情報のＦＡＸ番号、すなわち、コンビニＣのＦＡＸ番号をＦＡＸ番号データベースを検索することにより取得し、取得されたＦＡＸ番号を宛先としてＦＡＸデータを公衆網２０を介してコンビニ設置ＦＡＸ端末３１に送信する（ステップＳ１１）。
【００５９】
このとき、コンビニ設置ＦＡＸ端末３１（のコントローラ５０）は、送信されてきたＦＡＸデータを通信Ｉ／Ｆ５２を介して受信し（ステップＳ１２）、バッファ５３に蓄積する（ステップＳ１３）。
【００６０】
一方、注文者は、上記注文の料金を払うために、所望時において自ら受取先として指定したコンビニＣに来店し、そのコンビニ設置ＦＡＸ端末３１の情報入力部５４を操作して、コンビニ設置ＦＡＸ端末３１に対して、払込票に対応するＦＡＸの出力要求および受取パスワードを入力する。
【００６１】
このとき、コンビニ設置ＦＡＸ端末３１は、入力された出力要求およびパスワードを受信し（ステップＳ１４）、入力されたパスワードがバッファ５３に蓄積されているＦＡＸデータに含まれている受取パスワードと一致するか否か判断する（ステップＳ１５）。
【００６２】
このステップＳ１５の判断の結果、入力されたパスワードに一致する受取パスワードに対応するＦＡＸデータがバッファ５３に蓄積されていない場合には、ステップＳ１５の判断の結果はＮＯ（Ｎ）となり、コンビニ設置ＦＡＸ端末３１は、パスワードが異なる内容のエラーメッセージをディスプレイ５６に表示して、再度のパスワード入力を待つ（ステップＳ１６）。
【００６３】
一方、ステップＳ１５の判断の結果、入力されたパスワードに一致する受取パスワードに対応するＦＡＸデータがバッファ５３に蓄積されている場合には、ステップＳ１５の判断の結果はＹＥＳ（Ｙ）となり、コンビニ設置ＦＡＸ端末３１は、バッファ５３に蓄積されている上記入力パスワードに一致する受取パスワードに対応するＦＡＸデータを読み出し、そのＦＡＸデータに基づいて、情報出力部５５を介してＦＡＸ文書、すなわち、ステップＳ１の処理により注文した注文情報に対応する払込票を印刷出力する（ステップＳ１７）。
【００６４】
この印刷出力されたＦＡＸ文書（払込票）Ｈには、上記注文情報に対応するバーコードＢおよび注文者の識別情報等が印刷されている。
【００６５】
この結果、注文者は、印刷出力された払込票Ｈを例えば店員に渡し、店員の操作によりＰＯＳ端末３０を介してバーコードＢが読み取られることにより、注文商品の識別情報や注文料金等を店員がＰＯＳ端末３０を介して把握することができる。
【００６６】
したがって、注文者は、その店員に対して注文料金を支払うことができる。
【００６７】
以上述べたように、本実施の形態によれば、注文者は、携帯端末であるユーザ利用端末１１を利用した場合であっても、コンビニＣのコンビニ設置ＦＡＸ端末３１を介して、自らの注文情報に対応するＦＡＸ文書（払込票）Ｈを受け取ることができる。
【００６８】
この結果、例えば、注文者がプリンタ未所有の場合や携帯端末のみのユーザであってもオンライン決済を利用することが可能になり、オンライン決済のユーザの増大に貢献することが可能になる。
【００６９】
また、本実施形態によれば、コンビニＣは、至る所に多数設置されているため、注文者は、自宅に限らず、自ら所望するコンビニＣを受取先に指定することにより、払込票Ｈを受け取ることができる。
【００７０】
このため、自らが料金の支払いをしたい時に払込票Ｈを受け取ることができ、自宅で印刷出力して持参する場合と比べて、紛失する可能性を低減させることができる。
【００７１】
さらに、本実施形態によれば、コンビニＣという、注文情報に対応するオンライン決済用のバーコードＢを読み取ることができるＰＯＳ端末３０が設置された店舗において払込票ＨをＦＡＸ出力することができるため、そのコンビニＣにおいて即座に支払いも行うことができ、ユーザの利便性をさらに向上させることができる。
【００７２】
そして、本実施形態によれば、注文者がコンビニ決済サーバ４０から渡された受取パスワードを入力した時に、初めてＦＡＸ文書（払込票）が出力されるようになっている。
【００７３】
このため、注文者は自ら望む時間、タイミングでＦＡＸ文書（払込票）を受け取ることができ、しかも、他人には受け取られる心配が無くなり、セキュリティ性も優れたオンライン決済を行うことができる。
【００７４】
なお、本実施の形態では、ＦＡＸサーバ４２は、コンビニ決済サーバ４０から送信されたＦＡＸデータを直接、受取先に指定されたＦＡＸ番号に対して送信したが、本発明はこの構成に限定されるものではない。
【００７５】
例えば、図３に示すように、ＦＡＸサーバ４２は、コンビニ決済サーバ４０から送信されたＦＡＸデータをサーバ４２内に蓄積しておく（ステップＳ１８ａ）。
【００７６】
そして、ＦＡＸサーバ４２は、複数のコンビニ設置ＦＡＸ端末３１からパスワードを含む出力要求を受信したか否かを判断する（ステップＳ１８ｂ）。
【００７７】
このとき、注文者が、上記注文の料金を払うために、所望時において自ら受取先として指定したコンビニＣに来店し、そのコンビニ設置ＦＡＸ端末３１の情報入力部５４を操作して、コンビニ設置ＦＡＸ端末３１に対して、払込票に対応するＦＡＸの出力要求および受取パスワードを入力したとする。
【００７８】
コンビニ設置ＦＡＸ端末３１は、入力された出力要求およびパスワードをＦＡＸサーバ４２に送信する（ステップＳ１８ｃ）。
【００７９】
このとき、ステップＳ１８ｂの判断はＹＥＳとなり、ＦＡＸサーバ４２は、サーバ４２内に蓄積されている上記受信パスワードに一致する受取パスワードに対応するＦＡＸデータを読み出し、そのＦＡＸデータを、対応する受取先であるコンビニＣのＦＡＸ番号を宛先として公衆網２０を介してコンビニ設置ＦＡＸ端末３１に送信する（ステップＳ１８ｄ）。
【００８０】
コンビニ設置ＦＡＸ端末３１は、送信されてきたＦＡＸデータに基づいて、情報出力部５５を介してＦＡＸ文書、すなわち、ステップＳ１の処理により注文した注文情報に対応する払込票を印刷出力する（ステップＳ１７参照）。
【００８１】
この結果、注文者は、印刷出力されたＦＡＸ文書（払込票）ＨをコンビニＣにおいて取得することができる。
【００８２】
すなわち、本変形例によれば、ＦＡＸデータをコンビニ設置ＦＡＸ端末３１に蓄積することなく、パスワードを用いた認証処理を行うことができるため、セキュリティ性の向上およびコンビニＣ側のＦＡＸ端末３１のバッファ空き容量を増加させることが可能になる。
【００８３】
また、本実施の形態では、注文者は、自ら受取を希望するコンビニＣを指定したが、本発明はこの構成に限定されるものではない。
【００８４】
例えば、図３に示すステップＳ４の処理において、図４に示すように、注文者が携帯端末であるユーザ利用端末１１を利用している場合において、注文者は、現地点での最寄のコンビニＣの場所が分からない場合、ユーザ利用端末１１を介して移動通信網１５上のコンテンツサーバ１７にアクセスして、ＦＡＸ情報提供要求を送信する（図４；ステップＳ４ａ１）。
【００８５】
このとき、コンテンツサーバ１７は、対応する基地局１６が属するエリアから、ユーザ利用端末１１の現在のエリアを特定し、そのエリアに含まれる複数のコンビニＣの識別情報（例えば、名称、住所、ＦＡＸ番号等の一覧画面用コンテンツ）をユーザ利用端末１１に送信する（ステップＳ２０）。
【００８６】
ユーザ利用端末１１は、送信されてきた複数のコンビニＣの識別情報をディスプレイに表示し、注文者は、そのコンビニＣの識別情報を閲覧しながら、所望のコンビニＣを１つ選択する。ユーザ利用端末１１は、選択されたコンビニＣを受取先指定情報として送信する（ステップＳ４ａ３）。
【００８７】
以下、ステップＳ５以降の処理が実行される。
【００８８】
すなわち、本変形例によれば、携帯端末であるユーザ利用端末１１の機能（アクセスする最寄の基地局により端末１１のエリアが検知できる機能）を利用して、ユーザ利用端末１１に対して注文者の現在位置のエリアに属する複数のコンビニＣの識別情報を、そのユーザ利用端末１１を介して注文者に提供することができる。
【００８９】
この結果、注文者は、見知らぬ場所においてコンビニ設置ＦＡＸ端末３１を利用したオンライン決済サービスを利用する場合でも、最寄のコンビニＣの場所を自ら探す必要がないため、注文者の利便性をさらに向上させることができる。
【００９０】
また、本実施の形態における図３に示すステップＳ４の処理において、図５に示すように、注文者は、そのユーザ利用端末（例えば、ユーザ利用端末１０）の入力部を操作して端末１０に対し、コンビニ指定履歴情報の表示を要求する。
【００９１】
このとき、ユーザ利用端末１０では、一度指定されたコンビニＣの識別情報が履歴情報としてそのメモリに記憶されているため、ユーザ利用端末１０は、そのメモリに記憶された履歴情報に基づいて、過去に指定した全てのコンビニＣの識別情報（名前、住所、ＦＡＸ番号等）の一覧（コンビニ履歴一覧）をディスプレイに表示する（ステップＳ４ｂ１）。
【００９２】
注文者は、そのコンビニ履歴一覧を閲覧しながら、所望のコンビニＣを１つ選択する。ユーザ利用端末１１は、選択されたコンビニＣを受取先指定情報として送信する（ステップＳ４ｂ３）。
【００９３】
以下、ステップＳ５以降の処理が実行される。
【００９４】
すなわち、本変形例によれば、注文者は、過去に受取先として指定したことのあるコンビニＣを受取先として指定する際に、自らそのコンビニＣの識別情報を入力することなく、そのコンビニＣを受取先として指定することができる。
【００９５】
このため、受取先指定時における注文者の利便性を向上させることができる。
【００９６】
さらに、本実施の形態における変形例として、ＦＡＸサーバ４２のＦＡＸ番号データベースＤＢには、複数のコンビニＣに設置された複数のコンビニ設置ＦＡＸ端末３１のＦＡＸ番号とその複数のＦＡＸ番号それぞれに対応するユニークなシリアル番号とが互いに対応付けられた変換情報がさらに格納されている。
【００９７】
また、注文者は、複数のコンビニＣに設置された複数のコンビニ設置ＦＡＸ端末３１それぞれのシリアル番号を認知しているものとする。
【００９８】
このとき、注文者は、そのユーザ利用端末（例えば、ユーザ利用端末１０）の入力部を操作して端末１０に対し、受取先として指定したいコンビニＣのＦＡＸ端末３１に設定されたシリアル番号を受取先指定情報として送信し（ステップＳ４ｃ）、ＦＡＸサーバ４２は、コンビニ決済サーバ４０のステップＳ５〜ステップＳ１０の処理を経由して送信されてきた受取先指定情報を受信し、そのシリアル番号を対応するＦＡＸ番号に変換し、変換したＦＡＸ番号を宛先としてＦＡＸデータを送信する（ステップＳ１１ａ）。
【００９９】
以下、ステップＳ１２以降の処理が実行される。
【０１００】
すなわち、本変形例によれば、注文者は、各コンビニＣのコンビニ設置ＦＡＸ端末３１のＦＡＸ番号を知ることなく、そのコンビニ設置ＦＡＸ端末３１を利用したオンライン決済を利用することができる。
【０１０１】
このため、例えばユーザの一部からのいたずらＦＡＸを防止することができる。また、コンビニ設置ＦＡＸ端末３１のＦＡＸ番号が変わった場合でも、ＦＡＸサーバ４２側のデータベースＤＢを書き換えることのみにより対応でき、ユーザ側の処置は不要となり、さらにユーザの利便性が図れる。
【０１０２】
なお、本実施の形態においては、ユーザ利用端末を携帯端末である端末１１としたが、他の端末（パソコン１０、固定電話インターネット対応端末１２）でも同様である。
【０１０３】
また、本実施の形態においては、ＦＡＸ端末３１がコンビニＣに設置された場合について説明したが、注文受付サーバ２５により受け付けられた注文を、不特定多数者が利用でき、かつオンライン決済用データである例えばバーコードデータを読み取ることができる端末が設置されている拠点であれば、駅、コンビニエンスストア、ガソリンスタンド、インターネットカフェ等の他の拠点であってもよい。
【０１０４】
さらに、本実施の形態においては、注文対象を商品としたが、役務、あるいは商品と役務の両方を注文する場合でも適用可能である。
【０１０５】
【発明の効果】
以上述べたように、本発明に係わるファックス装置を利用したオンライン決済方法およびシステムによれば、ストリーミングコンテンツ配信要求受付制御システムによれば、注文者は、その通信端末を介して指定された受取拠点に設置されたファックス装置を利用して、自らの注文情報に対応するファックス文書（払込票）を受け取ることができる。
【０１０６】
この結果、例えば、注文者がプリンタ未所有の場合や携帯端末のみのユーザであってもオンライン決済を利用することが可能になり、オンライン決済のユーザの増大に貢献することが可能になる。
【０１０７】
また、本発明に係わるファックス装置を利用したオンライン決済方法およびシステムによれば、注文者は、所望の受取拠点を指定して払込票を受け取ることができるため、自らが注文情報の料金の支払いをしたい時に払込票を受け取ることができ、自宅で印刷出力して持参する場合と比べて、払込票を紛失する可能性を低減させることができる。
【０１０８】
さらに、本発明に係わるファックス装置を利用したオンライン決済方法およびシステムによれば、注文情報に対応する決済用データを読み取ることができるオンラインデータ読取装置が設置された拠点において払込票をファックス出力することができるため、その拠点において即座に支払いも行うことができ、注文者の利便性をさらに向上させることができる。
【図面の簡単な説明】
【図１】本発明の実施の形態に係わるファックス装置を利用したオンライン決済システムを含むオンライン注文決済システムの概略構成を示すブロック図。
【図２】図１に示すコンビニに設置されたコンビニ設置ＦＡＸ端末の概略構成を示すブロック図。
【図３】図１および図２に示すオンライン注文決済システムの処理の一例を示す概略フローチャート。
【図４】本発明の実施の形態の変形例に係わるユーザ利用端末およびＦＡＸサーバの処理の一例を示す概略フローチャート。
【図５】本発明の実施の形態の変形例に係わるユーザ利用端末の処理の一例を示す概略フローチャート。
【図６】本発明の実施の形態の変形例に係わるユーザ利用端末およびＦＡＸサーバの処理の一例を示す概略フローチャート。
【符号の説明】
１…オンライン注文決済システム
２…インターネット
３…ＥＣサイト
１０…ユーザ利用端末
１１…ユーザ利用端末
１２…ユーザ利用端末
１５…移動通信網
１６…基地局
１７…コンテンツサーバ
２０…公衆網
２５…注文受付サーバ
２６…照会サーバ
３０…ＰＯＳ端末
３１…ＦＡＸ端末
３２…コンビニ決済サービスシステム
４０…コンビニ決済サーバ
４２…ＦＡＸサーバ
５０…コントローラ
５１…情報読取部
５２…通信インタフェース
５３…バッファ
５４…情報入力部
５５…情報出力部
５６…ディスプレイ
【図１】
2004334586.tif 000003
【図２】
2004334586.tif 000004
【図３】
2004334586.tif 000005
【図４】
2004334586.tif 000006
【図５】
2004334586.tif 000007
【図６】
2004334586.tif 000008